(57)【特許請求の範囲】
【請求項１】
利用者に携帯されて移動する発信装置であって、当該発信装置に割り当てられた属性を示す属性情報を近距離での無線通信によって発信する前記発信装置と、
所定の場所に設置された受信装置であって、前記発信装置が発信した前記属性情報を受信する前記受信装置と、
コンテンツを出力する出力装置と、
前記受信装置および前記出力装置とネットワークを介して接続された情報管理サーバと、
を備える情報提供システムであって、
１つの前記発信装置に対して１つの前記属性が割り当てられており、複数の前記発信装置が１人の前記利用者に携帯され、
前記受信装置は、複数の前記発信装置の各々から前記属性情報を受信して、これら複数の前記属性情報を前記情報管理サーバに送信し、
前記情報管理サーバは、
複数の前記属性の組み合わせとコンテンツを示すコンテンツ情報とが対応付けられた対応データを記憶する記憶部と、
前記受信装置が送信した前記複数の前記属性情報を受信する受信部と、
前記対応データを用いて、前記受信部が受信した前記複数の前記属性情報が示す前記属性の組み合わせと対応付けられている前記コンテンツ情報を特定する情報特定部と、
前記情報特定部が特定した前記コンテンツ情報が示すコンテンツの出力を前記出力装置に指示する指示送信部と、を備える
情報提供システム。
【請求項２】
前記情報管理サーバにおいて、
前記対応データでは、複数の前記属性の組み合わせと複数の前記コンテンツ情報とが対応付けられ、
前記情報特定部は、前記対応データを用いて、前記受信部が受信した前記複数の前記属性情報が示す前記属性の組み合わせと対応付けられている複数の前記コンテンツ情報を特定し、
前記指示送信部は、前記情報特定部が特定した複数の前記コンテンツ情報が示すコンテ
ンツの出力を前記出力装置に指示する
請求項１に記載の情報提供システム。
【請求項３】
前記情報管理サーバにおいて、
前記対応データでは、複数の前記属性の組み合わせ、および、前記属性情報の送受信時の状況を示す付加状況と、前記コンテンツ情報とが対応付けられ、
前記情報特定部は、前記対応データを用いて、前記複数の前記属性情報が示す前記属性の組み合わせと、前記受信部が前記属性情報を受信したときに当該情報管理サーバが取得した情報から導き出される前記付加状況とに対応付けられている前記コンテンツ情報を特定する
請求項１に記載の情報提供システム。
【請求項４】
前記受信装置は、前記発信装置から受信した前記属性情報と、前記付加状況を導き出すために用いられる情報とを前記情報管理サーバに送信し、
前記付加状況は、前記発信装置が前記無線通信のために発信する電波を前記受信装置が受信している期間、前記受信装置が受信した前記電波の強度、前記受信装置の識別情報、前記発信装置の位置、および、前記発信装置の移動履歴に関する要件の少なくとも１つを含む
請求項３に記載の情報提供システム。
【請求項５】
前記情報管理サーバにおいて、
前記情報特定部は、複数の前記出力装置のなかから、前記情報特定部が特定した前記コンテンツ情報が示すコンテンツを出力させる前記出力装置を特定し、
前記指示送信部は、前記情報特定部が特定した前記コンテンツ情報が示すコンテンツの出力を、前記情報特定部が特定した前記出力装置に指示する
請求項１〜４のいずれか一項に記載の情報提供システム。
【請求項６】
前記対応データでは、複数の前記属性の組み合わせと、前記コンテンツ情報、および、当該コンテンツ情報が示す前記コンテンツの出力に関する設定である出力設定とが対応付けられ、
前記情報特定部は、前記対応データを用いて、前記複数の前記属性情報が示す前記属性の組み合わせに対応付けられている前記コンテンツ情報および前記出力設定を特定し、
前記指示送信部は、前記情報特定部が特定した前記コンテンツ情報が示すコンテンツの出力を、前記情報特定部が特定した前記出力設定に従って、前記出力装置に指示する
請求項１に記載の情報提供システム。
【請求項７】
利用者に携帯されて移動する発信装置と、
所定の場所に設置された受信装置と、
コンテンツを出力する出力装置と、
前記受信装置および前記出力装置とネットワークを介して接続された情報管理サーバと、
を用いて行われる情報提供方法であって、
複数の前記発信装置が１人の前記利用者に携帯され、
前記発信装置が、当該発信装置に割り当てられた１つの属性を示す属性情報を近距離での無線通信によって発信するステップと、
前記受信装置が、複数の前記発信装置の各々から前記属性情報を受信して、これら複数の前記属性情報を前記情報管理サーバに送信するステップと、
前記情報管理サーバが、複数の前記属性の組み合わせとコンテンツを示すコンテンツ情報とが対応付けられた対応データを用いて、当該情報管理サーバの受信した前記複数の前記属性情報が示す前記属性の組み合わせと対応付けられている前記コンテンツ情報を特定
するステップと、
前記情報管理サーバが、前記特定した前記コンテンツ情報が示すコンテンツの出力を前記出力装置に指示するステップと、
前記出力装置が、前記情報管理サーバの指示を受けて前記コンテンツを出力するステップと、
を含む情報提供方法。
【発明の詳細な説明】
【技術分野】
【０００１】
本発明は、コンテンツの提供に用いられる情報提供システム、および、情報提供方法に関する。
【背景技術】
【０００２】
情報提供システムは、例えば、駅や商業施設等に設置されたデジタルサイネージ等の表示装置に、静止画や動画等のコンテンツを表示させることに用いられる。こうした情報提供システムによるコンテンツの表示は、例えば、予め設定されたスケジュールに従って進められる（例えば、特許文献１参照）。
【先行技術文献】
【特許文献】
【０００３】
【特許文献１】特開２００７−３１０００３号公報
【発明の概要】
【発明が解決しようとする課題】
【０００４】
ところで、上述した表示装置を見ている人の性別や国籍、さらには表示装置を見ている目的等のように情報の提供を受ける人ごとの状況は、情報が提供される機会ごとに変わる。また、表示装置を見ている人の数やその変動等のように情報の提供を受ける人々の状況も、情報が提供される機会ごとに変わる。一方で、単純なスケジュールに従って一方的にコンテンツが表示される構成では、こうした状況の変化に応じて情報を提供することが不可能である。それゆえに、上述した情報提供システムには、提供される情報が表示装置を見ている人に対してさらに役立てられるものであること、すなわち、提供される情報の有用性を高めることが望まれている。
【０００５】
本発明は、提供される情報の有用性を高めることが可能な情報提供システム、および、情報提供方法を提供することを目的とする。
【課題を解決するための手段】
【０００６】
上記課題を解決する情報提供システムは、利用者に携帯されて移動する発信装置であって、当該発信装置に割り当てられた属性を示す属性情報を近距離での無線通信によって発信する前記発信装置と、所定の場所に設置された受信装置であって、前記発信装置が発信した前記属性情報を受信する前記受信装置と、コンテンツを出力する出力装置と、前記受信装置および前記出力装置とネットワークを介して接続された情報管理サーバと、を備える情報提供システムであって、前記情報管理サーバは、前記属性とコンテンツを示すコンテンツ情報とが対応付けられた対応データを記憶する記憶部と、前記受信装置から前記属性情報を受信する受信部と、前記対応データを用いて、前記受信部が受信した前記属性情報が示す前記属性と対応付けられている前記コンテンツ情報を特定する情報特定部と、前記情報特定部が特定した前記コンテンツ情報が示すコンテンツの出力を前記出力装置に指示する指示送信部と、を備える。
【０００７】
上記構成によれば、コンテンツを特定するための属性を示す属性情報が、利用者の携帯する発信装置から発信される。そして、受信装置へ属性情報を発信した発信装置に割り当てられている属性に応じて、出力装置が出力するコンテンツが特定される。結果として、利用者に提供されるコンテンツが、利用者の携帯する発信装置に応じて特定されるため、情報提供システムが利用者に向けて一方的にコンテンツを提供する構成と比べて、提供される情報の有用性が高められる。また、情報提供システムの利用者は、発信装置を携帯してさえいればコンテンツの提供を受けることができるため、利用者の利便性も向上する。
【０００８】
上記情報提供システムにおいて、前記受信装置は、複数の前記発信装置の各々から前記属性情報を受信して、これら複数の前記属性情報を前記情報管理サーバに送信し、前記情報管理サーバにおいて、前記対応データでは、複数の前記属性の組み合わせと前記コンテンツ情報とが対応付けられ、前記受信部は、前記受信装置が送信した前記複数の前記属性情報を受信し、前記情報特定部は、前記対応データを用いて、前記受信部が受信した前記複数の前記属性情報が示す前記属性の組み合わせと対応付けられている前記コンテンツ情報を特定することが好ましい。
【０００９】
上記構成によれば、受信装置へ属性情報を送信した複数の発信装置の各々に割り当てられている属性の組み合わせに応じて、出力装置が出力するコンテンツが特定されるため、より多様な状況に応じた情報の提供が可能となる。
【００１０】
上記情報提供システムでは、前記情報管理サーバにおいて、前記対応データでは、複数の前記属性の組み合わせと複数の前記コンテンツ情報とが対応付けられ、前記情報特定部は、前記対応データを用いて、前記受信部が受信した前記複数の前記属性情報が示す前記属性の組み合わせと対応付けられている複数の前記コンテンツ情報を特定し、前記指示送信部は、前記情報特定部が特定した複数の前記コンテンツ情報が示すコンテンツの出力を前記出力装置に指示することが好ましい。
【００１１】
上記構成によれば、受信装置へ属性情報を送信した複数の発信装置の各々に割り当てられている属性の組み合わせに応じて、出力装置が出力するコンテンツとして複数のコンテンツが特定されるため、より多様な情報の提供が可能となる。
【００１２】
上記情報提供システムでは、前記情報管理サーバにおいて、前記対応データでは、前記属性、および、前記属性情報の送受信時の状況を示す付加状況と、前記コンテンツ情報とが対応付けられ、前記情報特定部は、前記対応データを用いて、前記属性情報が示す前記属性と、前記受信部が前記属性情報を受信したときに当該情報管理サーバが取得した情報から導き出される前記付加状況とに対応付けられている前記コンテンツ情報を特定することが好ましい。
【００１３】
上記構成によれば、属性情報の送受信時の状況が加味されて、出力装置に出力されるコンテンツが特定されるため、より状況に沿った情報の提供が可能となる。
上記情報提供システムにおいて、前記受信装置は、前記発信装置から受信した前記属性情報と、前記付加状況を導き出すために用いられる情報とを前記情報管理サーバに送信し、前記付加状況は、前記発信装置が前記無線通信のために発信する電波を前記受信装置が受信している期間、前記受信装置が受信した前記電波の強度、前記受信装置の識別情報、前記発信装置の位置、および、前記発信装置の移動履歴に関する要件の少なくとも１つを含むことが好ましい。
【００１４】
上記構成によれば、上記項目の付加状況は、属性情報の送受信時における発信装置や受信装置の状況と密接に関連するため、こうした付加状況が用いられることによって、属性情報の送受信時の状況がコンテンツの特定に的確に反映され易くなる。したがって、より状況に沿った情報の提供が可能となる。
【００１５】
上記情報提供システムでは、前記情報管理サーバにおいて、前記情報特定部は、複数の前記出力装置のなかから、前記情報特定部が特定した前記コンテンツ情報が示すコンテンツを出力させる前記出力装置を特定し、前記指示送信部は、前記情報特定部が特定した前記コンテンツ情報が示すコンテンツの出力を、前記情報特定部が特定した前記出力装置に指示することが好ましい。
【００１６】
上記構成によれば、複数の出力装置のなかから、特定されたコンテンツが出力される出力装置が特定されるため、より多様な態様での情報の提供が可能となる。
上記情報提供システムにおいて、前記対応データでは、前記属性と、前記コンテンツ情報、および、当該コンテンツ情報が示す前記コンテンツの出力に関する設定である出力設定とが対応付けられ、前記情報特定部は、前記対応データを用いて、前記属性情報が示す前記属性に対応付けられている前記コンテンツ情報および前記出力設定を特定し、前記指示送信部は、前記情報特定部が特定した前記コンテンツ情報が示すコンテンツの出力を、前記情報特定部が特定した前記出力設定に従って、前記出力装置に指示することが好ましい。
【００１７】
上記構成によれば、出力されるコンテンツの内容に加えて、コンテンツの出力のされ方が制御可能であるため、より多様な態様での情報の提供が可能となる。
上記課題を解決する情報提供方法は、利用者に携帯されて移動する発信装置と、所定の場所に設置された受信装置と、コンテンツを出力する出力装置と、前記受信装置および前記出力装置とネットワークを介して接続された情報管理サーバと、を用いて行われる情報提供方法であって、前記発信装置が、当該発信装置に割り当てられた属性を示す属性情報を近距離での無線通信によって発信するステップと、前記受信装置が、前記発信装置の発信した前記属性情報を受信し、受信した前記属性情報を前記情報管理サーバに送信するステップと、前記情報管理サーバが、前記属性とコンテンツを示すコンテンツ情報とが対応付けられた対応データを用いて、当該情報管理サーバの受信した前記属性情報が示す前記属性と対応付けられている前記コンテンツ情報を特定するステップと、前記情報管理サーバが、前記特定した前記コンテンツ情報が示すコンテンツの出力を前記出力装置に指示するステップと、前記出力装置が、前記情報管理サーバの指示を受けて前記コンテンツを出力するステップと、を含む。
【００１８】
上記方法によれば、受信装置へ属性情報を発信した発信装置に割り当てられている属性に応じて、出力装置が出力するコンテンツが特定される。結果として、利用者に提供されるコンテンツが、利用者の携帯する発信装置に応じて特定されるため、情報提供システムが利用者に向けて一方的にコンテンツを提供する構成と比べて、提供される情報の有用性が高められる。
【００１９】
上記課題を解決する情報管理サーバは、発信装置に割り当てられた属性を示す属性情報を複数の前記発信装置から受信する受信装置、および、コンテンツを出力する出力装置と、ネットワークを介して接続された情報管理サーバであって、複数の前記属性の組み合わせとコンテンツを示すコンテンツ情報とが対応付けられた対応データを記憶する記憶部と、前記受信装置から複数の前記属性情報を受信する受信部と、前記対応データを用いて、前記受信部が受信した前記複数の前記属性情報が示す前記属性の組み合わせと対応付けられている前記コンテンツ情報を特定する情報特定部と、前記情報特定部が特定した前記コンテンツ情報が示すコンテンツの出力を前記出力装置に指示する指示送信部と、を備える。
【００２０】
上記構成の情報管理サーバを用いることによって、受信装置へ属性情報を送信した発信装置に割り当てられている属性に応じて、出力装置が出力するコンテンツを特定することができるため、こうした情報管理サーバを用いた情報提供システムあるいは情報提供方法において有用性の高い情報の提供が可能となる。
【発明の効果】
【００２１】
本発明によれば、提供される情報の有用性を高めることが可能となる。
【図面の簡単な説明】
【００２２】
【図１】一実施形態における情報提供システムの全体構成および情報管理サーバの装置構成を示す図である。
【図２】一実施形態の情報提供システムにおける情報の提供の手順を示すシーケンス図である。
【図３】適用例１における属性データのデータ構成の一例を示す図である。
【図４】適用例１における対応データのデータ構成の一例を示す図である。
【図５】（ａ）、（ｂ）は、適用例１においてコンテンツが提供される場面の一例を示す図である。
【図６】適用例１における対応データのデータ構成の一例を示す図である。
【図７】適用例１においてコンテンツが提供される場面の一例を示す図である。
【図８】適用例１における対応データのデータ構成の一例を示す図である。
【図９】適用例１においてコンテンツが提供される場面の一例を示す図である。
【図１０】適用例２における対応データのデータ構成の一例を示す図である。
【図１１】（ａ）、（ｂ）は、適用例２における対応データのデータ構成の一例を示す図である。
【図１２】適用例２における対応データのデータ構成の一例を示す図である。
【図１３】（ａ）、（ｂ）は、適用例２においてコンテンツが提供される場面の一例を示す図である。
【図１４】適用例３における受信装置および出力装置の配置の一例を示す図である。
【図１５】適用例３における属性データのデータ構成の一例を示す図である。
【図１６】適用例３における対応データのデータ構成の一例を示す図である。
【発明を実施するための形態】
【００２３】
情報提供システム、情報提供方法、情報管理サーバの一実施形態について説明する。
まず、図１および図２を参照して、情報提供システムの基本構成を説明した後、情報提供システムの適用例について説明する。
【００２４】
［情報提供システムの構成］
図１を参照して、情報提供システムの全体構成、および、情報提供システムに含まれる情報管理サーバの構成について説明する。
【００２５】
図１に示されるように、情報提供システムは、複数の発信装置１０と、１以上の受信装置２０と、１以上の出力装置３０と、１つの情報管理サーバ４０とを備えている。１以上の受信装置２０と、１以上の出力装置３０と、情報管理サーバ４０とは、インターネット等のネットワークＮＷに接続されている。１以上の受信装置２０と情報管理サーバ４０とは、受信装置２０ごとに相互にデータを送信および受信し、また、１以上の出力装置３０と情報管理サーバ４０とは、出力装置３０ごとに相互にデータを送信および受信する。
【００２６】
情報管理サーバ４０と１以上の受信装置２０とは、受信装置２０ごとにプッシュ型の通信を行い、情報管理サーバ４０と１以上の出力装置３０もまた、出力装置３０ごとにプッシュ型の通信を行う。情報管理サーバ４０と受信装置２０との通信、および、出力装置３０との通信には、ＷｅｂＳｏｃｋｅｔによる双方向通信が用いられることが好ましい。なお、受信装置２０と情報管理サーバ４０とが接続されるネットワークと、出力装置３０と情報管理サーバ４０とが接続されるネットワークとは、相互に異なるネットワークであってもよい。
【００２７】
発信装置１０は、Ｂｌｕｅｔｏｏｔｈ（登録商標）等の近距離無線通信によるプッシュ型のデータの送信が可能な装置である。近距離無線通信の通信規格としては、ＢＬＥ（Ｂｌｕｅｔｏｏｔｈ  Ｌｏｗ  Ｅｎｅｒｇｙ）が用いられると、低電力、かつ、高速な通信が可能となるため好ましい。
【００２８】
複数の発信装置１０の各々は、発信装置１０自体の存在を発信装置１０の周囲に通知するための信号として発信装置ＩＤを定期的に発信する機能を備える。発信装置ＩＤは、発信装置１０の識別情報であって、複数の発信装置１０の各々に固有の情報である。発信装置ＩＤは、複数の発信装置１０の各々に対して１つずつ割り当てられて、発信装置１０に予め記憶されている。
【００２９】
複数の発信装置１０の各々には、属性が割り当てられている。属性は、情報提供システムによって提供されるコンテンツを特定するための発信装置１０の分類に用いられる。発信装置１０に割り当てられた属性は、発信装置ＩＤと対応付けられて情報管理サーバ４０にて管理されている。結果として、発信装置ＩＤは、複数の発信装置１０の各々に割り当てられた属性を示す属性情報として機能する。
【００３０】
発信装置１０に割り当てられる属性は、例えば、情報提供システムの利用者自身が属する特徴や性質であり、利用者の性別、利用者の国籍、利用者の使用する言語、利用者の入信する宗教等に具体化される。あるいは、発信装置１０に割り当てられる属性は、例えば、情報提供システムを利用する利用者の目的が属する特徴や性質であり、複数の観光地のなかで利用者が観光を予定している観光地、複数のイベントのなかで利用者が参加を予定しているイベント等に具体化される。あるいは、発信装置１０に割り当てられる属性は、例えば、コンテンツが属する特徴や性質であり、コンテンツに含まれる言語、コンテンツに含まれる文化的な要素、コンテンツに含まれる宗教的な要素、コンテンツの提供に適したシーン等に具体化される。こうした属性は、情報管理サーバ４０が、情報提供システムによって提供されるコンテンツを特定するために、予め設定される。
【００３１】
発信装置１０は、情報の提供を受ける対象となる情報提供システムの利用者に携帯され、利用者の移動とともに移動する。携帯の態様は特に限定されず、発信装置１０は、例えば、ペンダント状やリストバンド状に形成されて利用者によって身に付けられていてもよいし、利用者の衣服のポケットや利用者の所持する鞄等に入れられていてもよい。
【００３２】
受信装置２０は、発信装置１０が有する近距離無線通信機能に対応した通信機能、および、ネットワークＮＷへの接続機能を備える装置であり、所定の場所に設置されている。受信装置２０としては、例えば、Ｂｌｕｅｔｏｏｔｈ（登録商標）に対応したスマートフォンが用いられる。
【００３３】
受信装置２０を基準とする範囲のなかで、発信装置１０の発する電波が受信装置２０に届いて受信装置２０が発信装置ＩＤを受信できる範囲が、受信装置２０の受信可能範囲である。受信装置２０は、その受信装置２０の受信可能範囲内に対し、発信装置１０からの発信を定期的に受け付ける。すなわち、利用者に携帯された発信装置１０が受信装置２０の受信可能範囲内に位置するとき、発信装置１０の送信する発信装置ＩＤが受信装置２０に受信される。受信装置２０は、受信された発信装置ＩＤを含む情報である取得情報を生成し、生成された取得情報を情報管理サーバ４０に送信する。
【００３４】
取得情報は、発信装置ＩＤの他に、発信装置ＩＤが受信されたときの受信の状況に関する情報を含んでもよい。発信装置ＩＤが受信されたときの受信の状況に関する情報には、受信装置２０が発信装置１０から受信した電波の受信強度や、受信装置２０と発信装置１０とが接続している期間である受信期間や、受信装置２０の識別情報である受信装置ＩＤ等が含まれる。
【００３５】
受信強度は、受信装置２０が発信装置１０から受信した電波の強さであって、受信強度が強いほど、発信装置１０と受信装置２０との間の距離が小さいことを示す。受信期間は、特定の発信装置１０から発信装置ＩＤを受信装置２０が繰り返して受信しているときの経過した時間の長さであって、受信装置２０の受信可能範囲内に特定の発信装置１０が位置し続けている時間の長さを示す。受信装置ＩＤは、受信装置２０に固有の情報であって、受信装置２０ごとに割り当てられて、受信装置２０に予め記憶されている。例えば、受信装置２０の数が複数である場合には、どの受信装置２０が発信装置ＩＤを受信したかをこうした受信装置ＩＤが示す。
【００３６】
なお、受信装置２０の受信可能範囲内に複数の発信装置１０が位置するとき、受信装置２０は、複数の発信装置１０の各々から発信装置ＩＤを受信する。受信装置２０は、その受信装置２０の受信可能範囲内に対し、その時点で受信した全ての発信装置ＩＤが取得情報に含まれるように、取得情報の送信を定期的に繰り返す。結果として、情報管理サーバ４０は、取得情報の受信ごとに、受信装置２０の受信可能範囲内に位置する発信装置１０、および、その発信装置１０の発信装置ＩＤが受信されたときの受信の状況を把握することができる。
【００３７】
出力装置３０は、情報管理サーバ４０からの指示を受けてコンテンツを出力する装置である。コンテンツは、利用者が五感によって認知可能な情報のまとまりであって、コンテンツには、例えば、文字情報、静止画、動画、音声、光、香り等が含まれる。出力装置３０は、これらのコンテンツを出力可能な装置であればよく、出力装置３０の具体例としては、デジタルサイネージやプロジェクター等の表示装置、スピーカー、照明装置、香り発生器等が挙げられる。なお、コンテンツの作成や出力の利便性を高める観点では、出力装置３０は、ウェブウラウザを実装し、コンテンツはＨＴＭＬ５を用いて表現されたコンテンツであって、ウェブブラウザ上でコンテンツが提供されることが好ましい。
【００３８】
なお、出力装置３０には、出力装置３０の識別情報である出力装置ＩＤが割り当てられている。
情報管理サーバ４０は、受信装置２０から受信した取得情報に基づいて、出力装置３０に出力させるコンテンツを特定する。以下、情報管理サーバ４０の具体的な構成例を説明する。
【００３９】
情報管理サーバ４０は、通信部４１と、制御部４２と、記憶部４３とを備えている。
通信部４１は、受信部および指示送信部として機能し、ネットワークＮＷを通じて、情報管理サーバ４０と受信装置２０との接続処理、および、情報管理サーバ４０と出力装置３０との接続処理を実行する。また、通信部４１は、情報管理サーバ４０と接続先の装置との間でデータの送信および受信を行う。
【００４０】
制御部４２は、ＣＰＵを含み、記憶部４３に記憶されたプログラムやデータに基づいて、通信部４１における通信の制御、記憶部４３における情報の読み出しや書き込み、各種の演算処理などの情報管理サーバ４０の各部の制御を行う。
【００４１】
制御部４２は、情報提供システムによる情報提供方法を実現する構成の一部として、情報特定部４２ａを備えている。情報特定部４２ａは、通信部４１が受信装置２０から受信した取得情報と、記憶部４３に記憶されている属性データ４３ａおよび対応データ４３ｂとに基づいて、提供されるコンテンツを特定する。そして、情報管理サーバ４０は、特定されたコンテンツの出力を、通信部４１を介して出力装置３０に指示する。
【００４２】
コンテンツの出力の指示は、例えば、コンテンツが動画や音声である場合には、該当する動画や音声のデータの出力装置３０への送信であってもよいし、あるいは、出力装置３０が出力可能に有しているコンテンツの中から特定のコンテンツの出力を指示する情報の出力装置３０への送信であってもよい。また、出力装置３０がウェブブラウザを備え、ウェブブラウザ上でコンテンツが提供される場合には、コンテンツの出力の指示は、該当するコンテンツが含まれるウェブページのＵＲＬの出力装置３０への送信であってもよい。
【００４３】
記憶部４３は、制御部４２の処理に必要なプログラムやデータを一時的あるいは永続的に記憶する。こうしたデータの一例として、記憶部４３は、上記の属性データ４３ａと対応データ４３ｂとを記憶している。属性データ４３ａでは、相互に異なる発信装置ＩＤの各々に、属性が設定されている。対応データ４３ｂでは、状況データが出力データに対応付けられている。
【００４４】
状況データは、上述した属性の１つ、あるいは、複数の属性からなる１つの組み合わせを含む。状況データにおいて、属性は、情報を提供される利用者の状況、あるいは、情報を提供する装置である出力装置３０の周囲の状況を示唆する役割を有する。
【００４５】
また、状況データは、属性の他に、付加状況を含んでいてもよい。付加状況は、例えば、情報提供システムを構成する装置のおかれた状況である。付加状況は、情報管理サーバ４０が受信装置２０から発信装置ＩＤを受信したときに取得した情報から情報管理サーバ４０が導き出すことが可能な状況である。例えば、付加状況は、情報管理サーバ４０が受信装置２０から受信した取得情報から導き出される。付加状況の項目には、例えば、受信強度や、受信期間や、受信装置ＩＤ等が含まれる。
【００４６】
出力データは、情報提供システムによって出力されるコンテンツを示すコンテンツ情報を１つ、あるいは、複数のコンテンツ情報からなる１つの組み合わせを含む。コンテンツ情報は、コンテンツを特定可能な情報であればよく、コンテンツの各々に割り当てられた識別情報であってもよいし、コンテンツの出力の指示がＵＲＬの送信によって行われる場合にはコンテンツが含まれるウェブページのＵＲＬであってもよい。また、コンテンツ情報は、例えばコンテンツが文字情報である場合等にはコンテンツそのものであってもよい。
【００４７】
また、出力データは、コンテンツ情報の他に、出力形態の設定を示す出力設定を含んでいてもよい。出力設定は、コンテンツの出力に関する設定であって、出力設定の項目には、例えば、コンテンツの出力先となる出力装置３０の出力装置ＩＤが含まれる。出力設定が設定されている場合、情報管理サーバ４０は、出力設定に従って、特定されたコンテンツの出力を出力装置３０に指示する。
【００４８】
また、情報管理サーバ４０から出力装置３０に、コンテンツとして動画等のデータが送信される場合には、こうしたデータも記憶部４３に記憶されている。
なお、制御部４２において、情報特定部４２ａとしての機能を有する構成は、複数のＣＰＵやメモリ等の各種のハードウェアによって具体化されてもよく、共通する１つのハードウェアに複数の機能を与えるソフトウェアによって具体化されてもよい。
【００４９】
［情報提供の手順］
図２を参照して、情報提供システムによる情報提供の手順について説明する。
図２に示されるように、発信装置１０は発信装置ＩＤを定期的に送信する。そして、発信装置１０を携帯する利用者の移動によって、受信装置２０の受信可能範囲に発信装置１０が入ったとき、発信装置１０の送信する発信装置ＩＤを受信装置２０が受信する（ステップＳ１０）。
【００５０】
発信装置１０から発信装置ＩＤを受信すると、受信装置２０は、発信装置ＩＤを含む取得情報を情報管理サーバ４０に送信する（ステップＳ１１）。受信装置２０から取得情報を受信すると、情報管理サーバ４０の情報特定部４２ａは、取得情報と、属性データ４３ａと、対応データ４３ｂとに基づいて、コンテンツ情報を特定する（ステップＳ１２）。これにより、情報提供システムによって提供されるコンテンツが特定される。
【００５１】
コンテンツ情報が特定されると、情報管理サーバ４０は、特定されたコンテンツ情報が示すコンテンツの出力を出力装置３０に指示する（ステップＳ１３）。情報管理サーバ４０からの指示を受けると、出力装置３０は、指示に応じたコンテンツを出力する（ステップＳ１４）。これにより、コンテンツとして情報が利用者に提供される。
【００５２】
なお、ステップＳ１０およびステップＳ１１の処理は所定の間隔で繰り返される。また、ステップＳ１２〜ステップＳ１４の処理は、取得情報の受信によって情報管理サーバ４０が把握している状況が変わるたびに、すなわち、受信装置２０の受信可能範囲内に位置する発信装置１０が変わるたびに、また、発信装置ＩＤの受信された状況が変わるたびに繰り返されることが好ましい。
【００５３】
＜適用例１＞
図３〜図９を参照して、上述の情報提供システムの適用例とともに、属性データ４３ａおよび対応データ４３ｂの構成例、および、これらのデータを用いたコンテンツの特定の態様を説明する。
【００５４】
まず、適用例１として、対応データ４３ｂにて、状況データとして属性のみが出力データとしてのコンテンツ情報と対応付けられている例について説明する。
適用例１では、出力装置３０が、例えば駅や空港や商業施設等に設置された表示装置であって、コンテンツとして周辺の施設や店舗等の案内が提供される場合を想定している。複数の発信装置１０の各々は、これらの駅や空港や商業施設等を利用する利用者に予め渡されている。なお、複数の発信装置１０は、１人の利用者に対して２以上の発信装置１０が同時に携帯されていてもよい。
【００５５】
受信装置２０と出力装置３０との各々は、１つであっても複数であってもよい。なお、１つの出力装置３０の付近には、その出力装置３０に対応付けられた１つの受信装置２０が設置されている。そして、受信装置２０が発信装置１０から発信装置ＩＤを受信した場合にコンテンツが出力される出力装置３０は、当該受信装置２０の付近に設置された出力装置３０に予め設定されている。
【００５６】
図３を参照して、属性データ４３ａのデータ構成の一例について説明する。
図３に示されるように、属性データ４３ａでは、発信装置ＩＤの各々に対して、属性が設定されている。属性は、発信装置１０を渡される利用者の特徴や性質を示すものであり、例えば、言語や宗教、食生活上の主義等の種類を含む。この際に、利用者の有する特徴のうち、利用者に適したコンテンツの特定に寄与する特徴が１つの属性とされることが好ましい。
【００５７】
例えば、図３に示される例では、「００１ａ」の発信装置ＩＤには、属性の１つである「日本語」が設定され、「００１ｂ」の発信装置ＩＤには、属性の１つである「英語」が設定されている。この場合、発信装置ＩＤが「００１ａ」である発信装置１０は、日本語を使用する利用者に予め渡され、発信装置ＩＤが「００１ｂ」である発信装置１０は、英語を使用する利用者に予め渡されている。
【００５８】
同様に、「００２ａ」の発信装置ＩＤには、属性の１つである「イスラム教徒」が設定され、「００２ｂ」の発信装置ＩＤには、属性の１つである「ヒンドゥー教徒」が設定されている。この場合、発信装置ＩＤが「００２ａ」である発信装置１０は、イスラム教徒である利用者に予め渡され、発信装置ＩＤが「００２ｂ」である発信装置１０は、ヒンドゥー教徒である利用者に予め渡されている。
【００５９】
このように、１つの発信装置ＩＤには、１つの属性が設定される。なお、相互に異なる複数の発信装置ＩＤに、同一の属性が設定されてもよい。こうして、情報管理サーバ４０にて、発信装置ＩＤに属性が対応付けられることによって、複数の発信装置１０の各々に属性が割り当てられる。
【００６０】
図４〜図９を参照して、対応データ４３ｂのデータ構成の一例、対応データ４３ｂを用いたコンテンツの特定の態様、および、利用者にコンテンツが提供される場面の例について説明する。
【００６１】
図４に示されるように、対応データ４３ｂでは、属性とコンテンツ情報とが相互に対応付けられている。情報管理サーバ４０の情報特定部４２ａは、受信装置２０から取得情報を受信すると、属性データ４３ａを参照して、取得情報に含まれる発信装置ＩＤに対応する属性を特定する。そして、情報特定部４２ａは、特定された属性と対応データ４３ｂとを用いて、特定された属性と対応付けられているコンテンツ情報を対応データ４３ｂから特定する。これにより、出力装置３０に出力されるコンテンツが特定される。
【００６２】
例えば、図４に示される例では、属性の１つである「日本語」は、「コンテンツＡ」を示すコンテンツ情報と対応付けられ、属性の１つである「英語」は、「コンテンツＢ」を示すコンテンツ情報と対応付けられている。「コンテンツＡ」は、日本語で表示されるコンテンツであり、「コンテンツＢ」は、英語で表示されるコンテンツである。
【００６３】
こうした構成においては、図５（ａ）に示されるように、属性として「日本語」が割り当てられた発信装置１０を利用者Ｕａが携帯しているとき、利用者Ｕａが出力装置３０の付近の受信装置２０に近づくことによって、発信装置１０の発信装置ＩＤが受信装置２０を経由して情報管理サーバ４０に送られる。そして、情報管理サーバ４０は、発信装置ＩＤに設定されている属性に基づいて、「コンテンツＡ」を示すコンテンツ情報を特定し、情報管理サーバ４０の指示を受けて出力装置３０は「コンテンツＡ」を出力する。これにより、利用者Ｕａは、利用者Ｕａが使用している言語である日本語で表示されるコンテンツの提供を受けることができる。
【００６４】
同様に、図５（ｂ）に示されるように、属性として「英語」が割り当てられた発信装置１０を利用者Ｕｂが携帯しているとき、利用者Ｕｂが出力装置３０の付近の受信装置２０に近づくと、発信装置ＩＤが情報管理サーバ４０に送られて情報管理サーバ４０が「コンテンツＢ」を示すコンテンツ情報を特定し、出力装置３０は「コンテンツＢ」を出力する。これにより、利用者Ｕｂは、利用者Ｕｂが使用している言語である英語で表示されるコンテンツの提供を受けることができる。
【００６５】
図６に示されるように、対応データ４３ｂでは、図４に示したような１つの属性と１つのコンテンツ情報とが相互に対応付けられる態様に限らず、相互に異なる複数の属性から構成される１つの組み合わせと１つのコンテンツ情報とが相互に対応付けられていてもよい。情報管理サーバ４０は、相互に異なる複数の発信装置ＩＤを１つの受信装置２０から一度の受信機会に受信するとき、その受信装置２０の受信可能範囲内に相互に異なる複数の発信装置１０が位置することを把握する。このとき、情報特定部４２ａは、情報管理サーバ４０が受信した複数の発信装置ＩＤの各々に基づいて特定された属性の組み合わせに応じて、対応データ４３ｂにて当該属性の組み合わせと対応付けられているコンテンツ情報を特定する。
【００６６】
例えば、図６に示される例では、属性の１つである「アラビア語」と属性の１つである「イスラム教徒」との組み合わせが、「コンテンツＤ」を示すコンテンツ情報と対応付けられている。「コンテンツＤ」は、例えば、ハラールに従った食事を提供可能なレストランをアラビア語で紹介するコンテンツである。
【００６７】
こうした構成においては、図７に示されるように、属性として「アラビア語」が割り当てられた発信装置１０と、属性として「イスラム教徒」が割り当てられた他の発信装置１０とを、例えば１人の利用者Ｕｃが携帯している。このとき、利用者Ｕｃが出力装置３０の付近の受信装置２０に近づくことによって、２つの発信装置１０の発信装置ＩＤが受信装置２０を経由して情報管理サーバ４０に送られる。そして、情報管理サーバ４０は、２つの発信装置ＩＤの各々に設定されている属性に基づいて、「コンテンツＤ」を示すコンテンツ情報を特定し、出力装置３０は「コンテンツＤ」を出力する。これにより、利用者Ｕｃは、利用者Ｕｃが使用している言語であるアラビア語で表示されるコンテンツであって、利用者Ｕｃの信条に沿ったコンテンツの提供を受けることができる。
【００６８】
なお、こうした構成は、出力装置３０および受信装置２０が飲食店のテーブルごとに設置され、コンテンツとしてその飲食店のメニューが提供される場合にも有益である。
また、図７では、互いに異なる属性が割り当てられた複数の発信装置１０を１人の利用者が携帯する例を挙げたが、互いに異なる属性が割り当てられた複数の発信装置１０が、複数の利用者に分散して携帯されてもよい。例えば、利用者Ｕｈが、属性として「蕎麦アレルギー」が割り当てられた発信装置１０を携帯し、利用者Ｕｉが、属性として「卵アレルギー」が割り当てられた発信装置１０を携帯する。そして、これらの利用者Ｕｈ，Ｕｉの双方が受信装置２０に近づくと、情報管理サーバ４０にて２つの発信装置１０の発信装置ＩＤに基づいて１つのコンテンツ情報が特定され、蕎麦と卵を含まないメニュー等の１つのコンテンツが出力装置３０から出力されてもよい。
【００６９】
図８に示されるように、対応データ４３ｂでは、複数の属性の組み合わせと複数のコンテンツ情報の組み合わせとが対応付けられていてもよい。この場合、情報管理サーバ４０の情報特定部４２ａは、複数の発信装置ＩＤの各々に基づいて特定された属性の組み合わせに応じて、当該属性の組み合わせと対応付けられているコンテンツ情報の組み合わせを対応データ４３ｂから特定する。これにより、出力装置３０に出力される複数のコンテンツが特定される。
【００７０】
例えば、図８に示される例では、属性の１つである「日本語」と属性の１つである「英語」との組み合わせが、「コンテンツＡ」を示すコンテンツ情報と「コンテンツＢ」を示すコンテンツ情報との組み合わせに対応付けられている。「コンテンツＡ」は、日本語で表示されるコンテンツであり、「コンテンツＢ」は、英語で表示されるコンテンツである。
【００７１】
こうした構成においては、図９に示されるように、例えば、属性の１つである「日本語」が割り当てられた発信装置１０を携帯している利用者Ｕｄと、「英語」の属性が割り当てられた発信装置１０を携帯している利用者Ｕｅとが、出力装置３０の付近に設置された受信装置２０に近づく。これによって、相互に異なる複数の発信装置１０の発信装置ＩＤが受信装置２０を経由して情報管理サーバ４０に送られる。そして、情報管理サーバ４０は、相互に異なる複数の発信装置ＩＤの各々に設定されている属性に基づいて、「コンテンツＡ」を示すコンテンツ情報と「コンテンツＢ」を示すコンテンツ情報とを特定し、これらのコンテンツの出力を出力装置３０に指示する。
【００７２】
その結果、出力装置３０は、例えば、出力装置３０の画面を二分割して、「コンテンツＡ」と「コンテンツＢ」との２つのコンテンツを出力する。なお、画面の分割等によって２つのコンテンツを出力する出力方法は、予め出力装置３０にて設定されていてもよいし、コンテンツの出力の指示とともに、情報管理サーバ４０が出力装置３０に指示してもよい。こうしたコンテンツの提供によれば、相互に異なる言語を利用する複数の利用者Ｕｄ，Ｕｅの各々が、各利用者Ｕｄ，Ｕｅの使用している言語で表示されるコンテンツの提供を同時に受けることができる。
【００７３】
以上説明したように、適用例１を例として説明した構成によれば、以下に列挙する効果を得ることができる。
（１）対応データ４３ｂにて属性とコンテンツ情報とが対応付けられ、情報管理サーバ４０にて、情報管理サーバ４０が受信した発信装置ＩＤが示す属性と対応付けられているコンテンツ情報が特定され、特定されたコンテンツ情報が示すコンテンツの出力が出力装置３０に指示される。これにより、コンテンツが提供される機会ごとに、発信装置１０に割り当てられた属性に応じて提供されるコンテンツが特定されるため、情報提供システムが利用者に向けて一方的にコンテンツを提供する構成と比べて、提供される情報の有用性が高められる。
【００７４】
また、利用者は発信装置１０を携帯するだけで、発信装置１０やその他の装置に対する操作を行わなくても、コンテンツの提供を受けることができる。したがって、利用者の利便性も向上する。
【００７５】
（２）対応データ４３ｂにて、複数の属性の組み合わせとコンテンツ情報とが対応付けられる構成では、複数の発信装置１０の各々に割り当てられた属性の組み合わせに応じて提供されるコンテンツが特定されるため、より多様な状況に応じた情報の提供が可能となる。
【００７６】
（３）対応データ４３ｂにて、複数の属性の組み合わせと複数のコンテンツ情報の組み合わせとが対応付けられる構成では、複数の発信装置１０の各々に割り当てられた属性の組み合わせに応じて複数のコンテンツが特定され、これら複数のコンテンツが出力されるため、提供されるコンテンツの有用性の他に、一度に提供されるコンテンツの多様性も高められる。
【００７７】
（４）利用者の有する特徴のうち、利用者に適したコンテンツの特定に寄与する特徴が１つの属性とされ、属性が、言語や宗教、食生活上の主義等の種類を有する。すなわち、属性は、利用者の属性およびコンテンツの属性を示す。そして、これらの属性と、こうした特徴を有する利用者に適したコンテンツを示すコンテンツ情報とが対応付けられる。こうした構成では、多様な人種、民族の人々が訪れる環境に情報提供システムが適用されることによって、これらの人々に適切な情報を提供することが可能となり、情報提供システムの有用性が高められる。
【００７８】
＜適用例２＞
図１０〜図１３を参照して、適用例２として、対応データ４３ｂにて状況データとしての属性と付加状況とが出力データとしてのコンテンツ情報と対応付けられている例を説明する。なお、適用例２において、属性データ４３ａは、先の図３に示される属性データ４３ａと同様の構成を有する。
【００７９】
適用例２でも、適用例１と同様、出力装置３０が、例えば駅や空港や商業施設等に設置された表示装置であって、コンテンツとして周辺の施設や店舗等の案内が提供される場合を想定している。また、適用例１と同様に、受信装置２０と出力装置３０との各々は、１つであっても複数であってもよい。１つの出力装置３０の付近には、その出力装置３０に対応付けられた１つの受信装置２０が設置され、受信装置２０が発信装置１０から発信装置ＩＤを受信した場合にコンテンツが出力される出力装置３０は、当該受信装置２０の付近にある出力装置３０に予め設定されている。
【００８０】
図１０に示されるように、対応データ４３ｂでは、属性と付加状況との組み合わせと、コンテンツ情報とが相互に対応付けられている。情報管理サーバ４０の情報特定部４２ａは、受信装置２０から取得情報を受信すると、属性データ４３ａを参照して、取得情報に含まれる発信装置ＩＤに設定されている属性を特定する。そして、情報特定部４２ａは、特定された属性と取得情報に含まれる情報が示す付加状況と対応データ４３ｂとに基づいて、対応データ４３ｂにて当該属性および付加状況と対応付けられているコンテンツ情報を特定する。
【００８１】
図１０に示される例では、属性と付加状況としての受信強度とが、コンテンツ情報に対応付けられている。なお、ここでは、受信強度が強と弱との２段階で判定される例について説明するが、受信強度は３段階以上の強度に分類されるように判定されてもよい。
【００８２】
図１０に示される例において、例えば、属性の１つである「日本語」と「弱」の受信強度とが、「コンテンツＦ」を示すコンテンツ情報と対応付けられている。また、属性の１つである「日本語」と「強」の受信強度とが、「コンテンツＧ」を示すコンテンツ情報と対応付けられている。
【００８３】
「コンテンツＦ」は、日本語で表示されるコンテンツであって、利用者が出力装置３０からやや離れているときに利用者に提供されることを目的とするコンテンツである。こうした「コンテンツＦ」は、例えば、音声を伴って利用者の注意を出力装置３０に向けさせるコンテンツに具体化される。また、「コンテンツＧ」は、日本語で表示されるコンテンツであって、利用者が出力装置３０の近くにいるときに利用者に提供されることを目的とするコンテンツである。こうした「コンテンツＧ」は、例えば、具体的な施設等の情報を提示するコンテンツに具体化される。
【００８４】
こうした構成においては、図１１（ａ）に示されるように、例えば、属性の１つである「日本語」が割り当てられた発信装置１０を携帯する利用者Ｕｆが、出力装置３０に近づき、受信装置２０の受信可能範囲に入る。すると、発信装置１０の発信装置ＩＤと「弱」の受信強度を示す情報とを含む取得情報が、受信装置２０から情報管理サーバ４０に送られる。受信装置２０が送信する受信強度は、受信装置２０が発信装置１０から発信装置ＩＤを受信したときに、その発信装置ＩＤが示す信号強度から受信装置２０によって判定される。そして、情報管理サーバ４０は、発信装置ＩＤに設定されている属性と「弱」の受信強度とに基づいて、「コンテンツＦ」を示すコンテンツ情報を特定し、出力装置３０は「コンテンツＦ」を出力する。
【００８５】
そして、図１１（ｂ）に示されるように、利用者Ｕｆが出力装置３０にさらに近づくと、発信装置１０の発信装置ＩＤと「強」の受信強度を示す情報とを含む取得情報が受信装置２０から情報管理サーバ４０に送られる。そして、情報管理サーバ４０の情報特定部４２ａは、その発信装置ＩＤと共に送られてくる受信強度が「弱」から「強」へ変わったと判定したとき、発信装置ＩＤに設定されている属性と「強」の受信強度とに基づいて、「コンテンツＧ」を示すコンテンツ情報を特定し、出力装置３０は「コンテンツＧ」を出力する。
【００８６】
これにより、利用者Ｕｆは、発信装置１０に割り当てられた属性に応じたコンテンツのみならず、受信装置２０に対する距離、すなわち、出力装置３０に対する距離に応じて、異なるコンテンツの提供を受けることができる。
【００８７】
図１２に示される例では、属性と付加状況としての受信期間とが、コンテンツ情報に対応付けられている。例えば、属性の１つである「日本語」と受信期間の１つである「１０分未満」とが、「コンテンツＪ」を示すコンテンツ情報と対応付けられている。また、属性の１つである「日本語」と受信期間の１つである「１０分以上３０分未満」とが、「コンテンツＫ」を示すコンテンツ情報と対応付けられている。
【００８８】
「コンテンツＪ」は、日本語で表示されるコンテンツであって、出力装置３０の付近での滞在が短い利用者に提供されることを目的とするコンテンツである。また、「コンテンツＫ」は、日本語で表示されるコンテンツであって、出力装置３０の付近での滞在が長い利用者に提供されることを目的とするコンテンツである。
【００８９】
こうした構成においては、図１３（ａ）に示されるように、属性の１つである「日本語」が割り当てられた発信装置１０を携帯する利用者Ｕｇが、出力装置３０に近づき、受信装置２０の受信可能範囲に入ると、受信装置２０は、その発信装置１０から発信装置ＩＤを受信し、かつ、その発信装置１０に対する受信期間の計測を開始する。また、受信装置２０は、発信装置１０の発信装置ＩＤと受信期間を示す情報とを含む取得情報を情報管理サーバ４０に送信する。情報管理サーバ４０は、発信装置ＩＤに設定されている属性と受信期間とに基づいて、「コンテンツＪ」を示すコンテンツ情報を特定し、出力装置３０は、「コンテンツＪ」を出力する。
【００９０】
受信装置２０は、受信可能範囲から発信装置１０が外れるまで、その発信装置１０に対する受信期間の計測を続け、発信装置１０の発信装置ＩＤと受信期間を示す情報とを含む取得情報を定期的に情報管理サーバ４０に送信する。そして、情報管理サーバ４０の情報特定部４２ａは、その発信装置ＩＤと共に送られてくる受信期間が、現在提供されているコンテンツとは異なるコンテンツ情報に対応付けられている期間の範囲に含まれると判定したとき、すなわち、受信期間が１０分以上になったと判定したとき、発信装置ＩＤに設定されている属性と受信期間とに基づいて、「コンテンツＫ」を示すコンテンツ情報を特定する。その結果、図１３（ｂ）に示されるように、出力装置３０は、「コンテンツＫ」を出力する。
【００９１】
これによって、利用者Ｕｇは、発信装置１０に割り当てられた属性に応じたコンテンツのみならず、受信装置２０の付近、すなわち、出力装置３０の付近での滞在時間に応じて、異なるコンテンツの提供を受けることができる。特に、例えば、出力装置３０が駅や空港の待合所に設置される場合のように、利用者が出力装置３０の付近に長時間滞在する場合に、上記構成の情報提供システムが適用されると、情報提供システムの有用性が高められる。
【００９２】
なお、受信期間を計測する機能は、受信装置２０に代わり、情報管理サーバ４０が備えてもよい。この際に、情報管理サーバ４０は、例えば、受信装置２０から受信した発信装置ＩＤを取得情報の受信ごとに記憶し、記憶されたデータにおいて同じ発信装置ＩＤが連続することによって、その発信装置ＩＤの受信期間が継続していると判断してもよい。この場合も、受信期間は、取得情報から導き出される条件であるといえる。
【００９３】
なお、適用例１の構成と適用例２の構成とが組み合わされ、対応データ４３ｂにて、複数の属性の組み合わせと付加状況との組み合わせがコンテンツ情報に対応付けられてもよい。また、対応データ４３ｂにて、複数の属性の組み合わせと付加状況との組み合わせが複数のコンテンツ情報の組み合わせに対応付けられていてもよい。また、付加状況は、例えば、受信強度と受信期間との組み合わせであってもよく、１以上の属性とともに１以上のコンテンツ情報に対応付けられる付加状況の項目が複数であってもよい。こうした構成によれば、より多様な状況に応じたコンテンツの提供が可能となるため、その状況に応じた有用性の高い情報の提供が可能となる。
【００９４】
以上説明したように、適用例２を例として説明した構成によれば、以下の効果を得ることができる。
（５）対応データ４３ｂにて、属性と付加状況との組み合わせがコンテンツ情報に対応付けられ、情報管理サーバ４０にて、情報管理サーバ４０が受信した発信装置ＩＤが示す属性、および、取得情報に含まれる情報が示す付加状況とに対応付けられたコンテンツ情報が特定される。そして、特定されたコンテンツ情報が示すコンテンツの出力が出力装置３０に指示される。これにより、発信装置ＩＤの送受信時の状況が加味されて、提供されるコンテンツが特定されるため、より有用性の高い情報の提供が可能となる。
【００９５】
＜適用例３＞
図１４〜図１６を参照して、適用例３として、対応データ４３ｂにて、状況データとしての属性と付加状況との組み合わせが、出力データとしてのコンテンツ情報と出力設定とに対応付けられている例について説明する。
【００９６】
適用例３では、情報提供システムは、複数の受信装置２０と複数の出力装置３０とを備え、発信装置ＩＤを受信する受信装置２０と、それを受けてコンテンツを出力する出力装置とは１対１には対応していない。こうした例としては、図１４に示されるように、所定の順路を利用者が移動する途中で様々なイベントが行われるアトラクション、例えば、現実の空間を舞台として行われるＲＰＧ（Ｒｏｌｅ−Ｐｌａｙｉｎｇ  Ｇａｍｅ）に情報提供システムが適用される場合が挙げられる。
【００９７】
図１４に示される例では、複数の受信装置２０の各々は、利用者が通る順路付近の所定の箇所に設置される。また、複数の出力装置３０の各々も、利用者が通る順路付近の所定の箇所に設置される。受信装置２０の数と出力装置３０の数は互いに異なっていてもよい。発信装置１０は、例えば、上記ＲＰＧにて利用者が携帯する武器等のアイテムに埋め込まれて、利用者に携帯される。こうしたアイテムはアトラクション内で売買されたり交換されたりしてもよい。
【００９８】
また、適用例３にて提供されるコンテンツは、例えば、出力装置３０としての表示装置に出力される映像であって、敵の出現や、敵への攻撃、アイテムの使用等のイベントを表現する映像に具体化される。また、適用例３にて提供されるコンテンツは、出力装置３０としてのスピーカーに出力される効果音や、出力装置３０としての照明装置に出力される照明のパターンに具体化される。
【００９９】
適用例３においても、属性データ４３ａでは、発信装置ＩＤの各々に対して、属性が設定されている。属性は、例えば、情報提供システムが上記ＲＰＧに用いられる場合には、コンテンツの提供に適したシーンとして、戦士や魔法使いといった、利用者に割り当てられる職業や、利用者の参加回数に応じて設定されるレベル等の種類を有する。
【０１００】
例えば、図１５に示される例では、「００１Ａ」の発信装置ＩＤには、属性の１つである「戦士」が設定され、「００１Ｂ」の発信装置ＩＤには、属性の１つである「魔法使い」が設定されている。
【０１０１】
図１６を参照して、適用例３における対応データ４３ｂの構成例について説明する。
図１６に示されるように、対応データ４３ｂでは、属性と付加状況との組み合わせが、コンテンツ情報と出力設定との組み合わせに対応付けられている。この場合、情報管理サーバ４０の情報特定部４２ａは、受信装置２０から取得情報を受信すると、属性データ４３ａを参照して、取得情報に含まれる発信装置ＩＤに設定されている属性を特定する。そして、情報特定部４２ａは、特定された属性と取得情報に含まれる情報が示す付加状況と対応データ４３ｂとに基づいて、当該属性および付加状況と対応付けられているコンテンツ情報および出力設定を特定する。そして、情報管理サーバ４０は、出力設定に従って、コンテンツの出力を出力装置３０に指示する。
【０１０２】
図１６に示される例では、属性と付加状況の一例である受信装置ＩＤとの組み合わせが、コンテンツ情報と出力設定の一例である出力装置ＩＤとの組み合わせに対応付けられている。例えば、属性の１つである「戦士」と、受信装置ＩＤの１つである「Ａ０１」とが、「コンテンツＰ」を示すコンテンツ情報と、出力装置ＩＤの１つである「Ｂ０１」とに対応付けられている。また、例えば、属性の１つである「戦士」と、受信装置ＩＤの１つである「Ａ０４」とが、「コンテンツＱ」を示すコンテンツ情報と、出力装置ＩＤの１つである「Ｂ０３」とに対応付けられている。
【０１０３】
こうした構成において、属性の１つである「戦士」が割り当てられた発信装置１０を携帯する利用者が、受信装置ＩＤとして「Ａ０１」を有する受信装置２０に近づいて当該受信装置２０の受信可能範囲に入る。このとき、上記発信装置１０の発信装置ＩＤと上記受信装置２０の受信装置ＩＤとを含む取得情報が受信装置２０から情報管理サーバ４０に送られる。情報管理サーバ４０は、発信装置ＩＤに設定されている属性と受信装置ＩＤとに基づいて、「コンテンツＰ」を示すコンテンツ情報を特定し、出力装置ＩＤとして「Ｂ０１」を特定する。そして、情報管理サーバ４０は、出力装置ＩＤとして「Ｂ０１」を有する出力装置３０に、「コンテンツＰ」の出力を指示する。
【０１０４】
これにより、発信装置ＩＤを受信する受信装置２０に応じたコンテンツ、すなわち、利用者の現在位置に応じたコンテンツが、発信装置ＩＤを受信する受信装置２０に応じた出力装置３０に出力される。つまり、発信装置１０に割り当てられた属性に加え、発信装置ＩＤを受信する受信装置２０に応じて、出力されるコンテンツと、出力先の出力装置３０とが変わる。
【０１０５】
また、属性と付加状況との組み合わせが、複数のコンテンツ情報とコンテンツ情報ごとの出力設定とに対応付けられていてもよい。例えば、図１６に示される例では、属性の１つである「戦士」と、受信装置ＩＤの１つである「Ａ０６」との組み合わせが、「コンテンツＳ」を示すコンテンツ情報と出力装置ＩＤの１つである「Ｂ０４」とに対応付けられている。また、上記「戦士」と「Ａ０６」との組み合わせは、「コンテンツＴ」を示すコンテンツ情報と出力装置ＩＤの１つである「Ｂ０５」とに対応付けられている。
【０１０６】
こうした構成においては、属性の１つである「戦士」が割り当てられた発信装置１０を携帯する利用者が、受信装置ＩＤとして「Ａ０６」を有する受信装置２０の受信可能範囲に入ると、発信装置ＩＤと受信装置ＩＤとを含む取得情報が受信装置２０から情報管理サーバ４０に送られる。そして、情報管理サーバ４０は、受信装置２０から取得した情報に基づいて、「コンテンツＳ」を示すコンテンツ情報を特定し、それの出力装置ＩＤとして「Ｂ０４」を特定するとともに、さらに「コンテンツＴ」を示すコンテンツ情報を特定し、それの出力装置ＩＤとして「Ｂ０５」を特定する。これに基づき、情報管理サーバ４０は、出力装置ＩＤとして「Ｂ０４」を有する出力装置３０に「コンテンツＳ」の出力を指示し、出力装置ＩＤとして「Ｂ０５」を有する出力装置３０に「コンテンツＴ」の出力を指示する。
【０１０７】
これにより、発信装置１０に割り当てられた属性に加え、発信装置ＩＤを受信する受信装置２０に応じて、すなわち、利用者の現在位置に応じて、複数のコンテンツが各別の出力装置３０に出力される。
【０１０８】
なお、適用例１にて説明したように、対応データ４３ｂにおいて、属性と付加状況との組み合わせが、複数のコンテンツ情報と１つの出力設定とに対応付けられ、複数のコンテンツが１つの出力装置３０に出力されてもよい。あるいは、対応データ４３ｂにおいて、属性と付加状況との組み合わせが、１つのコンテンツ情報と複数の出力設定とに対応付けられ、１つのコンテンツが複数の出力装置３０に出力されてもよい。
【０１０９】
また、属性と複数の付加状況の組み合わせとが、コンテンツ情報と出力設定とに対応付けられていてもよい。例えば、図１６に示される例では、属性の１つである「戦士」と、受信装置ＩＤの１つである「Ａ０２」および「Ａ０３」とが、「コンテンツＵ」を示すコンテンツ情報と、出力装置ＩＤの１つである「Ｂ０７」とに対応付けられている。
【０１１０】
こうした構成において、属性の１つである「戦士」が割り当てられた発信装置１０を携帯する利用者が、受信装置ＩＤとして「Ａ０２」を有する受信装置２０と、受信装置ＩＤとして「Ａ０３」を有する受信装置２０との双方の受信可能範囲に入る。このとき、２つの受信装置２０の各々から、発信装置ＩＤと受信装置ＩＤとを含む取得情報が情報管理サーバ４０に送られる。情報管理サーバ４０の情報特定部４２ａは、その時点で同一の発信装置ＩＤを送信してきている２つの受信装置２０から取得した情報をまとめて、発信装置ＩＤに設定されている属性と２つの受信装置ＩＤとに基づいて、「コンテンツＵ」を示すコンテンツ情報とを特定し、出力装置ＩＤとして「Ｂ０７」を特定する。そして、情報管理サーバ４０は、「Ｂ０７」の出力装置ＩＤを有する出力装置３０に、「コンテンツＵ」の出力を指示する。
【０１１１】
これにより、発信装置１０に割り当てられた属性に加え、発信装置ＩＤを受信する受信装置２０の組み合わせに応じて、すなわち、利用者の詳細な現在位置に応じて、異なるコンテンツが異なる出力装置３０に出力される。
【０１１２】
なお、適用例３の構成と適用例１や適用例２の構成とが組み合わされてもよい。例えば、対応データ４３ｂにて、付加状況としての受信装置ＩＤと属性との組み合わせがコンテンツ情報のみに対応付けられていてもよい。この場合、どの受信装置２０が発信装置ＩＤを受信した場合であっても、コンテンツが出力される出力装置３０は所定の出力装置３０に予め設定されており、どの受信装置２０がどの発信装置ＩＤを受信するかによって、出力されるコンテンツが変わる。
【０１１３】
また例えば、対応データ４３ｂにて、属性のみがコンテンツ情報と出力設定とに対応付けられていてもよい。この場合、受信装置ＩＤに関わらず、発信装置１０に割り当てられた属性に応じて、提供されるコンテンツとその出力先とが決まる。
【０１１４】
また例えば、対応データ４３ｂにて、互いに対応付けられている属性、付加状況の項目、項目ごとの付加状況の数、コンテンツ情報、出力設定の項目、および、項目ごとの出力設定の数は、それぞれ複数であってもよい。
【０１１５】
こうした構成によれば、それぞれのコンテンツが出力される条件を細かく設定することが可能であるため、より状況に応じたコンテンツの提供が可能となる。例えば、情報提供システムが上記ＲＰＧに適用される場合、一人の利用者が携帯しているアイテムの組み合わせや、一緒に行動している複数の利用者の各々が携帯しているアイテムの組み合わせ、あるいは、利用者の位置によって、出現する敵の種類や強さ、攻撃の内容等のコンテンツの提供によって生じるイベントの内容を細かに変えることができる。
【０１１６】
以上説明したように、適用例３を例として説明した構成によれば、以下の効果を得ることができる。
（６）対応データ４３ｂにて、属性と付加状況との組み合わせが、コンテンツ情報と出力設定との組み合わせに対応付けられ、情報管理サーバ４０によって、情報管理サーバ４０が受信した発信装置ＩＤが示す属性と、取得情報に含まれる情報が示す付加状況とに対応付けられているコンテンツ情報と出力設定とが特定される。そして、特定された出力設定に従って、特定されたコンテンツ情報が示すコンテンツの出力が出力装置３０に指示される。これにより、出力されるコンテンツの内容に加えて、コンテンツの出力のされ方が制御可能であるため、より多様な態様での情報の提供が可能となる。
【０１１７】
［変形例］
上記実施形態は、以下のように変更して実施することが可能である。
・適用例３のように、情報提供システムが、複数の受信装置２０を備える場合、情報管理サーバ４０の情報特定部４２ａは、その時点で同一の発信装置ＩＤを送信してきている１以上の受信装置２０の位置や、各受信装置２０が発信装置ＩＤを受信した際の受信強度等の情報に基づいて、発信装置１０の位置を特定し、特定した発信装置１０の位置を付加状況として用いてもよい。この場合、対応データ４３ｂでは、属性と、付加状況としての発信装置１０の位置とがコンテンツ情報に対応付けられ、情報特定部４２ａは、発信装置ＩＤに基づいて特定した属性と、上記のように特定された発信装置１０の位置とに対応付けられているコンテンツ情報を特定する。なお、発信装置１０の位置の特定に用いられる各受信装置２０の位置情報は、取得情報に含まれて受信装置２０から情報管理サーバ４０に送信されてもよいし、受信装置ＩＤと対応付けられて情報管理サーバ４０に記憶されていて、取得情報に含まれる受信装置ＩＤに基づいて特定されてもよい。
【０１１８】
・上述のように、発信装置１０の位置が特定される場合、情報管理サーバ４０は、発信装置１０ごとに、特定した位置を時系列に沿って記憶し、発信装置１０が移動した経路を記憶部４３に蓄積していってもよい。また、上述のように発信装置１０の位置が特定されない場合であっても、情報管理サーバ４０にて、発信装置ＩＤを受信した受信装置２０の受信装置ＩＤが記録されることによって、発信装置１０の通った箇所が記録されてもよい。こうした構成によれば、発信装置１０を携帯している利用者の移動履歴のデータが蓄積されるため、こうしたデータの解析が可能となる。
【０１１９】
また、情報管理サーバ４０は、上述のように蓄積された発信装置１０の移動履歴から付加状況を導き出してもよい。例えば、対応データ４３ｂでは、属性と、付加状況として、特定の場所を過去に通っているか否か等の移動履歴に関する要件とがコンテンツ情報に対応付けられ、情報特定部４２ａは、発信装置ＩＤに基づいて特定した属性と、上記発信装置１０の移動履歴から導き出される要件が当てはまる付加状況とに対応付けられているコンテンツ情報を特定する。
【０１２０】
・情報提供システムが複数の受信装置２０と複数の出力装置３０とを備える場合に、コンテンツが出力される出力装置３０を特定するための構成は、適用例３のように、対応データ４３ｂにて、出力設定として出力装置ＩＤが属性や付加状況に予め対応付けられている態様に限られない。例えば、情報管理サーバ４０の情報特定部４２ａは、上述のように、同じタイミングで同一の発信装置ＩＤを送信してきた１以上の受信装置２０の位置や、各受信装置２０が発信装置ＩＤを受信した際の受信強度等の情報に基づいて、発信装置１０の位置を特定し、その位置に最も近い出力装置３０を出力先として特定してもよい。この場合、各出力装置３０の位置情報は、出力装置ＩＤと対応付けられて情報管理サーバ４０に記憶されていればよい。こうした構成によっても、複数の出力装置３０のなかから、コンテンツが出力される出力装置３０が特定されるため、より多様な態様での情報の提供が可能となる。
【０１２１】
・属性情報は、属性そのものであってもよく、情報提供システムによって提供されるコンテンツを特定するための発信装置１０の分類に用いられる情報であれば、属性情報として機能させることができる。例えば、対応データ４３ｂにて、発信装置ＩＤとコンテンツ情報とが、利用者の属性やコンテンツの属性を考慮した任意の基準に基づいて対応付けられ、情報管理サーバ４０は属性データ４３ａを用いずに発信装置ＩＤから直接コンテンツ情報を特定してもよい。この場合、発信装置ＩＤは、結果として、情報が提供される利用者および特定されたコンテンツとの関係性の観点において、上記対応付けに用いられた基準に従った利用者の属性やコンテンツの属性として機能する。ただし、属性データ４３ａにより各発信装置１０に割り当てられた属性を管理する構成では、相互に異なる発信装置１０に同一の属性を割り当てて管理することが容易に可能となるため、発信装置１０と、その発信装置１０からの電波の受信に基づいて提供されるコンテンツとの対応付けの管理にかかる負担が軽減される。
【０１２２】
また、発信装置ＩＤとは別に、各属性のいずれかを示す情報が発信装置１０に記憶され、この情報が発信装置ＩＤに代えて属性情報として、受信装置２０を経由して情報管理サーバ４０に送信されてもよい。この場合、情報管理サーバ４０は、属性データ４３ａを用いずに、上記情報が示す属性に基づいて、コンテンツ情報を特定する。
【０１２３】
・付加状況は、適用例１〜３および上記変形例で挙げた例に限らず、発信装置１０、受信装置２０、および、情報管理サーバ４０の間での発信装置ＩＤの送受信時の情報提供システムを構成する装置がおかれた状況であればよい。要するに、付加状況は、情報管理サーバ４０が受信装置２０から発信装置ＩＤを受信したときに取得した情報から情報管理サーバ４０が導き出すことが可能な装置の状況であればよい。
【０１２４】
例えば、適用例１〜３および上記変形例で挙げた例のうち、受信強度、受信期間、受信装置ＩＤ、発信装置１０の位置、発信装置１０の移動経路に関する情報は、情報管理サーバ４０が受信装置２０から受信した取得情報そのものから、もしくは、取得情報の解析や蓄積の結果、導き出される。こうした付加状況は、特に、発信装置ＩＤの送受信時における発信装置１０や受信装置２０の状況と密接に関連するため、発信装置ＩＤの送受信時の状況がコンテンツの特定に的確に反映され易くなる。
【０１２５】
一方、例えば、付加状況は時刻や出力装置３０にコンテンツの出力指示が行われた回数であってもよい。例えば、付加状況が時刻である場合、情報管理サーバ４０が受信装置２０から発信装置ＩＤを受信したときに、情報管理サーバ４０は、外部の装置もしくは情報管理サーバ４０自身から時刻を取得する。そして、情報特定部４２ａは、発信装置ＩＤに設定されている属性と取得した時刻とに対応データ４３ｂにて対応付けられているコンテンツ情報を特定する。
【０１２６】
・出力装置３０は、所定の場所に設置されていなくてもよく、利用者に携帯されていてもよい。例えば、出力装置３０は、利用者が所有するスマートフォン等の携帯端末であってもよい。こうした場合、例えば、出力装置３０にインストールされているアプリケーションソフトウェアの種類が付加状況として用いられ、出力装置３０にインストールされているアプリケーションソフトウェアに対応したコンテンツが特定されてもよい。
【０１２７】
・出力設定は、適用例３で挙げた例に限らず、コンテンツの出力に関する設定であればよく、例えば、コンテンツの出力時刻や出力回数などのように出力の可否の範囲を定める設定であってもよい。また、適用例１のように、複数のコンテンツ情報が特定されることに基づき、出力装置３０が複数のコンテンツを同時に出力するときには、画面の分割による表示等のように、複数のコンテンツの出力させる形式を出力設定として設定してもよい。
【０１２８】
・適用例１〜３で例示した出力装置３０および受信装置２０の設置の態様、属性の種類、コンテンツの内容等は一例であって、情報提供システムの適用される場面はこれらに限られない。
【符号の説明】
【０１２９】
１０…発信装置、２０…受信装置、３０…出力装置、４０…情報管理サーバ、４１…通信部、４２…制御部、４２ａ…情報特定部、４３…記憶部、４３ａ…属性データ、４３ｂ…対応データ。
【図１】
0006515465.tif 000002
【図２】
0006515465.tif 000003
【図３】
0006515465.tif 000004
【図４】
0006515465.tif 000005
【図５】
0006515465.tif 000006
【図６】
0006515465.tif 000007
【図７】
0006515465.tif 000008
【図８】
0006515465.tif 000009
【図９】
0006515465.tif 000010
【図１０】
0006515465.tif 000011
【図１１】
0006515465.tif 000012
【図１２】
0006515465.tif 000013
【図１３】
0006515465.tif 000014
【図１４】
0006515465.tif 000015
【図１５】
0006515465.tif 000016
【図１６】
0006515465.tif 000017